(57)【要約】      （修正有）【課題】金属や手による通信妨害を検知してＩＣタグ付き物品の不正持ち出しを防止する。【解決手段】ゲート１の一方を送信側、他方を受信側として送信アンテナ２、３と受信アンテナ４、５を対向させて配置し、それぞれに送信機６と受信機７を接続する。また、ゲート１の上方にアラームを表示するランプ８を取り付け、送信機６、受信機７およびランプ８を一体に接続する。送信アンテナ２はゲート１を通過する物品９に付加したＩＣタグ１０にＩＤの読み取り信号を送信し、受信アンテナ４はＩＣタグ１０からの応答信号を受信する。受信アンテナ５は送信アンテナ３から送られた検査信号を受信する。検査信号はＩＤの読み取り信号とは異なる搬送周波数を使用する。また、使用する周波数帯を複数の周波数チャネルに分割し、時分割で搬送波の周波数を切り換えて通信できるようにする。【選択図】図１
2005322119.tif 000002
【特許請求の範囲】
【請求項１】
ゲートに設置したアンテナとゲートを通過するＩＣタグが通信する第１の通信手段と、
ゲートに設置したアンテナ同士が通信する第２の通信手段と、
前記第１の通信手段が通信不能を検知したときは前記第２の通信手段に切り換える切換手段と、
切り換え後に前記第２の通信手段が通信不能を検知したときはアラームを報知する報知手段と、
を備えることを特徴とするＩＣタグ付き物品の不正持ち出し防止装置。
【請求項２】
前記第１の通信手段と第２の通信手段の通信周波数が異なることを特徴とする請求項１記載のＩＣタグ付き物品の不正持ち出し防止装置。
【請求項３】
前記第１の通信手段と第２の通信手段は通信時に送受信のタイミングを同期させることを特徴とする請求項１記載のＩＣタグ付き物品の不正持ち出し防止装置。
【請求項４】
前記第２の通信手段は複数の周波数チャネルを時分割で切り換えて通信することを特徴とする請求項１記載のＩＣタグ付き物品の不正持ち出し防止装置。
【発明の詳細な説明】
【技術分野】
【０００１】
本発明は、倉庫や店舗などの出入口にアンテナ付きゲートを設置してＩＣタグ付き物品の不正持ち出しを防止するＩＣタグ付き物品の不正持ち出し防止装置に関する。
【背景技術】
【０００２】
リーダ／ライタとの間で無線でデータをやり取りするＩＣタグを商品に付加して倉庫や店舗などの出入口にアンテナ付きゲートを設置することで製造から販売に至る流通過程で在庫情報と入出庫情報をリアルタイムに入手し、商品の不正持ち出しを防止することができる。
ＩＣタグは１３５ｋＨｚ以下の長波帯、１３．５６ＭＨｚの短波帯、２．４５ＧＨｚのマイクロ波帯などを使用してリーダ／ライタと通信するが、ＩＣタグとリーダ／ライタの間に金属があると磁界や電波が金属に吸収されてしまうため、どの帯域においても通信し難くなる。
【０００３】
１３５ｋＨｚ以下の場合は磁界が金属の隙間を抜けて回折し、通信できることもあるが通信距離が極端に短くなる。
１３．５６ＭＨｚ帯の場合は金属に発生する電流がＩＣタグの磁界を打ち消す方向に流れるため、ＩＣタグは起電力をほとんど得られなくなる。
２．４５ＧＨｚ帯の場合はアンテナの同調がずれて通信ができなくなる。
また、２．４５ＧＨｚ帯の電波は電子レンジにも利用されているように、水によく吸収されるので、人体を通過しない。
そのため、ＩＣタグの部分をアルミシートなどの金属や手などで覆うと通信できなくなって簡単にゲートを通過できるという問題が発生する。
【発明の開示】
【発明が解決しようとする課題】
【０００４】
解決しようとする問題点は、ＩＣタグを金属や手で覆うと通信できなくなる点であり、本発明は、金属や手による通信妨害を検知してＩＣタグ付き物品の不正持ち出しを防止することを目的になされたものである。
【課題を解決するための手段】
【０００５】
本発明は、ゲートに設置したアンテナとゲートを通過するＩＣタグが通信する第１の通信手段と、ゲートに設置したアンテナ同士が通信する第２の通信手段と、前記第１の通信手段が通信不能を検知したときは前記第２の通信手段に切り換える切換手段と、切り換え後に前記第２の通信手段が通信不能を検知したときはアラームを報知する報知手段とを備えることを最も主要な特徴とする。
【発明の効果】
【０００６】
本発明は、ゲートに設置したアンテナとＩＣタグの通信が不能になったときはアンテナ同士の通信に切り換えるので、金属や手による通信妨害を確実に検知できるようになる。
また、アンテナ同士の通信が不能であればアラームを報知するので、ＩＣタグ付き物品の不正持ち出しを確実に検知できるようになる。
【発明を実施するための最良の形態】
【０００７】
以下、本発明の実施の形態について説明する。
【０００８】
図１に、本発明を実施したＩＣタグ付き物品の不正持ち出し防止装置の概略図を示す。
不正持ち出し防止装置は、ゲート１の一方を送信側、他方を受信側として送信アンテナ２、３と受信アンテナ４、５を対向させて配置し、それぞれに送信機６と受信機７を接続する。また、ゲート１の上方にアラームを表示するランプ８を取り付け、送信機６、受信機７およびランプ８を一体に接続する。
【０００９】
送信アンテナ２はゲート１を通過する物品９に付加したＩＣタグ１０にＩＤの読み取り信号を送信し、受信アンテナ４はＩＣタグ１０からの応答信号を受信する。
このとき、例えばＩＤの読み取り信号をＡＳＫ変調方式、応答信号をＦＳＫ変調方式とするなど異なる変調方式で変調してＩＤの読み取り信号と応答信号を識別しやすくする。
【００１０】
送信アンテナ３は金属や手などによる通信妨害を検知するための検査信号を送信し、受信アンテナ５は送信アンテナ３から送られた検査信号を受信する。
検査信号はＩＤの読み取り信号とは異なる搬送周波数を使用し、例えばＩＤの読み取り信号の搬送周波数を１３．５６ＭＨｚ帯とした場合、それとは異なる２．４５ＧＨｚ帯を使用する。
これにより、周波数帯によって異なる電波の特性を有効に活用して通信妨害の検知を容易にする。
また、使用する周波数帯を複数の周波数チャネルに分割し、時分割で搬送波の周波数を切り換えて通信できるようにする。
これにより、使用する搬送周波数の帯域を広くして電波干渉によって発生する通信障害を回避する。
なお、送信アンテナ２、３と受信アンテナ４、５は１３．５６ＭＨｚ帯を使用する電磁誘導方式の場合はループコイルアンテナとなり、２．４５ＧＨｚ帯を使用するマイクロ波方式の場合は平板に印刷されたマイクロストリップアンテナとなる。
【００１１】
送信機６と受信機７は、それぞれ図示しないアンテナ切換回路を内蔵して送信アンテナ２、３と受信アンテナ４、５の切り換えを行い、図示しない周波数シンセサイザを内蔵して複数の周波数チャネルに分割した送受信周波数を合成し、一定の時間間隔で送受信周波数を切り換える。
また、送信機６から受信機７に同期信号を送出して送受信のタイミングを同期させる。
【００１２】
図２に、ＩＣタグ付き物品の不正持ち出し防止処理のフローチャートを示す。
まず、ステップ１０１において送信機６が送信アンテナ２を経由して搬送周波数ｆ0でＩＤの読み取り信号を送信する。
次に、ステップ１０２において受信機７が受信アンテナ４を経由してＩＣタグ１０からの応答信号を受信したかどうかを判定し、受信した場合はステップ１０１に戻ってＩＤの読み取り信号の送信を繰り返す。
受信しない場合は次のステップ１０３において送信機６が送信アンテナ３を経由して時分割した搬送周波数ｆ1〜ｆｎで順番に検査信号を送信する。
次に、ステップ１０４において受信機７が受信アンテナ５を経由して全ての搬送周波数ｆ1〜ｆｎにおいて検査信号を受信したかどうかを判定し、受信した場合はステップ１０１に戻ってＩＤの読み取り信号の送信を繰り返す。
受信しない場合は次のステップ１０５においてランプ８を点灯してアラームを報知し、処理を終了する。
【図面の簡単な説明】
【００１３】
【図１】本発明を実施したＩＣタグ付き物品の不正持ち出し防止装置の概略図である。
【図２】ＩＣタグ付き物品の不正持ち出し防止処理のフローチャートである。
【符号の説明】
【００１４】
１          ゲート
２、３      送信アンテナ
４、５      受信アンテナ
６          送信機
７          受信機
９          物品
１０          ＩＣタグ
【図１】
2005322119.tif 000003
【図２】
2005322119.tif 000004